【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
ＩＰアドレスに対応する地域情報を識別するために、無線インターネット接続を提供するアクセスポイントのＩＰ情報と前記アクセスポイント周辺の位置情報を用いるＡＰ情報収集装置であって、
周辺に位置するアクセスポイントを識別するＡＰ識別部と、
前記識別されたアクセスポイントを介してインターネット接続が成立する時点の前記ＡＰ情報収集装置の位置情報を、前記地域情報を決定できる地域情報決定システムに送信するＡＰ接続部と、
前記アクセスポイントに付与されたＩＰ情報を前記地域情報決定システムに送信する情報送信部と、
を含み、
前記ＩＰアドレスに対応する地域情報は、
前記地域情報決定システムが、前記ＡＰ情報収集装置から受信した前記ＡＰ情報収集装置の位置情報を用いて前記ＡＰ情報収集装置の地域情報を決定し、前記決定された地域情報と前記アクセスポイントのＩＰ情報をマッチングすることで決定されることを特徴とするＡＰ情報収集装置。
【請求項２】
前記ＡＰ識別部は、
周辺に位置する少なくとも１つのアクセスポイントをスキャンして予め設定された通信強度以上を示すアクセスポイントを識別することを特徴とする請求項１に記載のＡＰ情報収集装置。
【請求項３】
前記ＡＰ識別部は、
周辺に位置する少なくとも１つのアクセスポイントをスキャンした後、予め設定された順位内に属する通信強度を示すアクセスポイントを識別することを特徴とする請求項１または２に記載のＡＰ情報収集装置。
【請求項４】
前記情報送信部は、
前記インターネットプロトコルの規格情報を前記地域情報決定システムから確認して前記アクセスポイントのパブリックＩＰを前記地域情報決定システムに送信することを特徴とする請求項１乃至３のいずれか一項に記載のＡＰ情報収集装置。
【請求項５】
前記アクセスポイントの識別子情報、前記アクセスポイントに付与されたＩＰ情報及び前記アクセスポイントにインターネット接続された時点でＡＰ情報収集装置の位置情報を含むデータベースを生成するＤＢ生成部をさらに含む請求項１乃至４のいずれか一項に記載のＡＰ情報収集装置。
【請求項６】
ＩＰアドレスに対応する地域情報を決定する地域情報決定システムにおいて、
ＡＰ情報収集装置からアクセスポイントのＩＰ情報及び前記ＡＰ情報収集装置の位置情報を受信するＡＰ情報受信部と、
前記ＡＰ情報収集装置の位置情報を用いて前記ＡＰ情報収集装置の地域情報を決定する地域情報決定部と、
前記ＩＰアドレスに対応する地域情報を決定するために前記ＡＰ情報収集装置の地域情報と前記アクセスポイントのＩＰ情報をマッチングさせる地域情報マッチング部と、
を含み、
前記ＡＰ情報収集装置の位置情報は、
前記ＡＰ情報収集装置が記識したアクセスポイントを介してインターネット接続が成立する時点の前記ＡＰ情報収集装置の位置情報であることを特徴とする地域情報決定システム。
【請求項７】
前記地域情報決定部は、
前記ＡＰ情報収集装置の位置情報と関連する行政区域を前記ＡＰ情報収集装置の地域情報として決定することを特徴とする請求項６に記載の地域情報決定システム。
【請求項８】
前記地域情報決定部は、
前記ＡＰ情報収集装置の位置情報に対応する行政区域及び前記位置情報を中心に予め設定された半径以内の少なくとも１つの位置情報に対応する行政区域に基づいて前記ＡＰ情報収集装置の地域情報を決定することを特徴とする請求項７に記載の地域情報決定システム。
【請求項９】
前記アクセスポイントは、
前記ＡＰ情報収集装置の周辺に位置するアクセスポイントのうち通信強度に基づいて識別したアクセスポイントであることを特徴とする請求項６乃至８のいずれか一項に記載の地域情報決定システム。
【請求項１０】
ＩＰアドレスに対応する地域情報を識別するために、無線インターネット接続を提供するアクセスポイントのＩＰ情報と前記アクセスポイント周辺の位置情報を用いるＡＰ情報収集装置が行うＡＰ情報の収集方法において、
周辺に位置するアクセスポイントを識別するステップと、
前記識別されたアクセスポイントを介してインターネット接続が成立する時点の前記ＡＰ情報収集装置の位置情報を、前記地域情報を決定できる地域情報決定システムに送信するステップと、
前記アクセスポイントに付与されたＩＰ情報を前記地域情報決定システムに送信するステップと、
を含み、
前記ＩＰアドレスに対応する地域情報は、
前記地域情報決定システムが、前記ＡＰ情報収集装置から受信した前記ＡＰ情報収集装置の位置情報を用いて前記ＡＰ情報収集装置の地域情報を決定し、前記決定された地域情報と前記アクセスポイントのＩＰ情報をマッチングすることで決定されることを特徴とするＡＰ情報収集方法。
【請求項１１】
前記アクセスポイントを識別するステップは、
周辺に位置する少なくとも１つのアクセスポイントをスキャンして予め設定された通信強度以上を示すアクセスポイントを識別することを特徴とする請求項１０に記載のＡＰ情報収集方法。
【請求項１２】
前記アクセスポイントを識別するステップは、
周辺に位置する少なくとも１つのアクセスポイントをスキャンした後、予め設定された順位内に属する通信強度を示すアクセスポイントを識別することを特徴とする請求項１０または１１に記載のＡＰ情報収集方法。
【請求項１３】
前記地域情報決定システムに送信するステップは、
前記インターネットプロトコルの規格情報を前記地域情報決定システムから確認して前記アクセスポイントのパブリックＩＰを前記地域情報決定システムに送信することを特徴とする請求項１０乃至１２のいずれか一項に記載のＡＰ情報収集方法。
【請求項１４】
前記アクセスポイントの識別子情報、前記アクセスポイントのパブリックＩＰ、及び前記アクセスポイントにインターネット接続された時点でＡＰ情報収集装置の位置情報を含むデータベースを生成するステップをさらに含む請求項１０乃至１３のいずれか一項に記載のＡＰ情報収集方法。
【請求項１５】
ＩＰアドレスに対応する地域情報を決定する地域情報決定システムが行う地域情報決定方法において、
ＡＰ情報収集装置からアクセスポイントのＩＰ情報及び前記ＡＰ情報収集装置の位置情報を受信するステップと、
前記ＡＰ情報収集装置の位置情報を用いて前記ＡＰ情報収集装置の地域情報を決定するステップと、
前記ＩＰアドレスに対応する地域情報を決定するために前記ＡＰ情報収集装置の地域情報と前記アクセスポイントのＩＰ情報をマッチングさせるステップと、
を含み、
前記ＡＰ情報収集装置の位置情報は、
前記ＡＰ情報収集装置が記識したアクセスポイントを介してインターネット接続が成立する時点の前記ＡＰ情報収集装置の位置情報であることを特徴とする地域情報決定方法。
【請求項１６】
前記ＡＰ情報収集装置の地域情報を決定するステップは、
前記ＡＰ情報収集装置の位置情報と関連する行政区域を前記ＡＰ情報収集装置の地域情報として決定することを特徴とする請求項１５に記載の地域情報決定方法。
【請求項１７】
前記ＡＰ情報収集装置の地域情報を決定するステップは、
前記ＡＰ情報収集装置の位置情報に対応する行政区域及び前記位置情報を中心に予め設定された半径以内の少なくとも１つの位置情報に対応する行政区域に基づいて前記ＡＰ情報収集装置の地域情報を決定することを特徴とする請求項１６に記載の地域情報決定方法。
【請求項１８】
前記アクセスポイントは、
前記ＡＰ情報収集装置の周辺に位置するアクセスポイントのうち通信強度に基づいて識別したアクセスポイントであることを特徴とする請求項１５乃至１７のいずれか一項に記載の地域情報決定方法。
【請求項１９】
請求項１０乃至１８のいずれか一項の方法を実行するためのプログラムが記録されたコンピュータで読み出し可能な記録媒体。